(57)【要約】【課題】ブレ補正機能を備えた光学装置において少ない部品点数でブレ検出素子に伝わる有害振動を阻止し装置の小型化を阻害せず確実なブレ補正機能を確保し得る光学装置を提供する。【解決手段】光学装置１において、光学装置内に配置された支持部材５ａと、支持部材に固定された電気基板１８と、電気基板上に実装され光学装置のブレを検出するブレ検出センサ２２と、ブレ検出センサの表面に載置され金属を含む素材からなるシート部材２１とを具備する。【選択図】図３
2010169961.tif 000002
【特許請求の範囲】
【請求項１】
光学装置において、
上記光学装置内に配置された支持部材と、
上記支持部材に固定された電気基板と、
上記電気基板上に実装され上記光学装置のブレを検出するブレ検出センサと、
上記ブレ検出センサの表面に載置され金属を含む素材からなるシート部材と、
を具備したことを特徴とする光学装置。
【請求項２】
光学装置において、
キセノン管を有しストロボ光を発光させるストロボ発光器と、
上記ストロボ発光器が固定された支持部材と、
上記支持部材に固定された電気基板と、
上記電気基板に実装され上記光学装置のブレを検出するブレ検出センサと、
上記ブレ検出センサの表面に載置され金属を含む素材からなるシート部材と、
を具備したことを特徴とする光学装置。
【請求項３】
上記ブレ検出センサは、樹脂により封止されたパッケージ部品であることを特徴とする請求項２に記載の光学装置。
【請求項４】
上記シート部材は、タングステンを含むことを特徴とする請求項２に記載の光学装置。
【請求項５】
光学装置において、
キセノン管を有しストロボ光を発光するストロボ発光器と、
上記ストロボ発光器を保持する支持部材と、
上記支持部材に固定された電気基板と、
上記電気基板に実装され上記光学装置のブレを検出するブレ検出センサと、
上記ブレ検出センサの表面に載置され金属を含むシート部材と、
を具備したことを特徴とする光学装置。
【請求項６】
上記ブレ検出センサは、樹脂により封止されたパッケージ部品であることを特徴とする請求項５に記載の光学装置。
【請求項７】
上記シート部材は、タングステンを含むことを特徴とする請求項５に記載の光学装置。
【請求項８】
光学装置において、
キセノン管を有しストロボ光を発光するためのストロボ発光器と、
上記ストロボ発光器を保持する支持部材と、
上記支持部材に固定された電気基板と、
上記電気基板に実装され上記光学装置のブレを検出するブレ検出センサと、
上記ブレ検出センサの出力に基いてブレ補正動作を行うブレ補正手段と、
上記ブレ検出センサの表面に載置され金属を含むシート部材と、
上記ストロボ発光器を発光させるためのストロボ発光駆動手段と、
被写体を撮像する撮像手段と、
上記ストロボ発光を伴う撮像動作を実行するときには、上記ストロボ発光駆動回路を制御してストロボ発光動作を実行させた後に、上記ブレ補正手段によるブレ補正動作を実行させる制御を行う制御手段と、
を具備したことを特徴とする光学装置。
【発明の詳細な説明】
【技術分野】
【０００１】
この発明は、光学装置、詳しくはブレ補正機能を備えた光学装置において、装置に加わる振動（ブレ）を検出する検出素子の出力信号に他の構成部材等からの振動等に起因するノイズの混入を抑止しブレ検出精度の向上に寄与する技術に関するものである。
【背景技術】
【０００２】
近年、光学レンズにより形成される光学像を静止画像や動画像として取得し記録するカメラ等の撮像装置や、光学レンズにより対象物の拡大光学像を形成して観察する双眼鏡若しくは望遠鏡等の光学装置においては、装置に加わる振動（ブレ）等に起因して光学レンズにより形成される光学像にブレが生じて不鮮明な像になってしまうことを抑止するために、いわゆるブレ補正機能を有して構成されたものが実用化され一般に普及している。
【０００３】
このようなブレ補正機能を有する従来の光学装置においては、装置に加わる振動（ブレ）等を検出するためのブレ検出素子として、例えば角速度センサ等が適用される。この角速度センサは、パッケージ部品からなり、光学装置内に固定支持されている電気基板上に実装されているのが普通である。この電気基板上には、ブレ検出機能を実現する電気部品のほかにも、各種の電気部品が実装されている。
【０００４】
また、近年におけるこの種の光学装置は小型化技術が進んでおり、装置内において各種の構成部材が高密度に配置されている。このことから、ブレ検出素子が実装された電気基板の近傍には、各種の構成ユニットが隣接して配置されている。
【０００５】
したがって、ブレ検出素子は、光学装置に加わる振動（ブレ）以外に、装置内に設けられている他の構成部材から生じる機械的な振動若しくは音響振動等、例えばストロボ発光器等が駆動されたときに生じる振動等をも検出してしまう可能性がある。この場合、ブレ検出素子から出力される信号にはノイズが混入してしまうことになり、よってブレ検出精度を低下させてしまう要因になる。
【０００６】
そこで、装置に加わる振動（ブレ）以外の他の構成部材等からの振動等の検出を抑えて、ブレ検出素子の出力信号にノイズが混入するのを抑止するための技術が、例えば特開平７−２７０８４７号公報等によって従来、種々提案されている。
【０００７】
上記特開平７−２７０８４７号公報等によって開示されている光学装置においては、複数のブレ検出素子を保持部材に収納した形態で筐体に取り付けるように構成している。そして、筐体と複数のブレ検出素子のそれぞれとの間に弾性部材を介在させている。この構成により、ブレ検出素子のそれぞれは、弾性部材によって浮遊構造となるため、筐体からの有害振動がブレ検出素子に伝搬されないようになっている。
【先行技術文献】
【特許文献】
【０００８】
【特許文献１】特開平７−２７０８４７号公報
【発明の概要】
【発明が解決しようとする課題】
【０００９】
ところが、上記特開平７−２７０８４７号公報によって開示される手段では、複数のブレ検出素子を筐体に取り付けるのに保持部材によっていることから部品点数が多くなり、装置の内部空間を占有してしまい、よって装置の小型化を阻害するという問題点がある。
【００１０】
また、内外からの不用な振動入力を充分に排除できないこともある。
【００１１】
本発明は、上述した点に鑑みてなされたものであって、その目的とするところは、ブレ補正機能を備えた光学装置において、より少ない部品点数でブレ検出素子に伝わる有害振動を阻止することができ、装置の小型化構成を阻害することなく、より確実なブレ補正機能を確保することのできる光学装置を提供することである。
【課題を解決するための手段】
【００１２】
上記目的を達成するために、本発明による光学装置は、光学装置内に配置された支持部材と、上記支持部材に固定された電気基板と、上記電気基板上に実装され上記光学装置のブレを検出するブレ検出センサと、上記ブレ検出センサの表面に載置され金属を含む素材からなるシート部材とを具備したことを特徴とする。
【発明の効果】
【００１３】
本発明によれば、ブレ補正機能を備えた光学装置において、より少ない部品点数でブレ検出素子に伝わる有害振動を阻止することができ、装置の小型化構成を阻害することなく、より確実なブレ補正機能を確保し得る光学装置を提供することができる。
【図面の簡単な説明】
【００１４】
【図１】本発明の一実施形態の光学装置（カメラ）の前面側の平面図。
【図２】図１の光学装置（カメラ）において主に本発明に関連する構成部材を示すブロック構成図。
【図３】図１の光学装置（カメラ）のメインユニットを取り出して正面側を示す外観斜視図。
【図４】図１の光学装置（カメラ）のメインユニットを取り出して背面側を示す外観斜視図。
【図５】図１の［５］−［５］線に沿う縦断面図。
【図６】図５の一部を拡大して示す要部拡大断面図。
【図７】本発明適用前の光学装置（カメラ）においてストロボ発光を伴う撮影動作時のブレ検出センサのＸ軸の出力を数値化して示す図。
【図８】本発明適用前の光学装置（カメラ）においてストロボ発光を伴う撮影動作時のブレ検出センサのＹ軸の出力を数値化して示す図。
【図９】本発明の一実施形態の光学装置（カメラ）においてストロボ発光を伴う撮影動作時のブレ検出センサのＸ軸の出力を数値化して示す図。
【図１０】本発明の一実施形態の光学装置（カメラ）においてストロボ発光を伴う撮影動作時のブレ検出センサのＹ軸の出力を数値化して示す図。
【図１１】図１の光学装置（カメラ）の使用時における作用の一部を示すフローチャート。
【発明を実施するための形態】
【００１５】
以下、図示の実施の形態によって本発明を説明する。
【００１６】
本発明の一実施形態は、本発明を適用する光学装置として、例えば光学レンズにより形成される光学像を撮像素子等の光電変換素子を用いて光電変換し、これによって得られる画像信号に基いて静止画像や動画像をデジタルデータとして取得し記録し得るように構成される撮像装置（以下、単にカメラという）を例示するものである。
【００１７】
図１は、本発明の一実施形態の光学装置（カメラ）の前面側の平面図である。図２は、図１の光学装置（カメラ）において主に本発明に関連する構成部材を示すブロック構成図である。図３，図４は、図１の光学装置（カメラ）の内部に配設される構成ユニットのうちメインユニットを取り出して示す外観斜視図である。このうち図３はメインユニットの正面側を示す図であり、図４はメインユニットの背面側を示す図である。図５は、図１の［５］−［５］線に沿う縦断面図である。図６は、図５の一部を拡大して示す要部拡大断面図である。
【００１８】
図７，図８は、本発明適用前の光学装置（カメラ）においてストロボ発光を伴う撮影動作時のブレ検出センサの出力を数値化して示す図である。このうち図７はブレ検出センサの出力のうちＸ軸の出力を示している。図８はブレ検出センサの出力のうちＹ軸の出力を示している。
【００１９】
図９，図１０は、本発明の適用後、即ち本発明の一実施形態の光学装置（カメラ）においてストロボ発光を伴う撮影動作時のブレ検出センサの出力を数値化して示す図である。このうち図９はブレ検出センサの出力のうちＸ軸の出力を示している。図１０はブレ検出センサの出力のうちＹ軸の出力を示している。
【００２０】
図１１は、図１の光学装置（カメラ）の使用時における作用の一部を示すフローチャートである。
【００２１】
まず、本実施形態の光学装置（カメラ）の概略的な構成を図１〜図５を用いて以下に説明する。
【００２２】
なお、本実施形態においては、カメラ１を使用するときの姿勢を考慮して、カメラ１の使用時に被写体に対向する側の面をカメラ１の前面というものとする。また、カメラ１を構えたときに、その使用者が対面する側の面をカメラ１の背面というものとする。
【００２３】
また、撮影を行う際に操作する操作部材のうちシャッターレリーズボタン１４ａが配設されている側の面を上面というものとする。また、カメラ１の上面に対向する側の面を底面というものとする。
【００２４】
そして、カメラ１の通常の使用時に両側に配置される面を左側面及び右側面というものとする。ただし、この場合における左右は、カメラ１の前面に向かったとき（被写体側からカメラ１を見たとき）の左右で区別するものとする。
【００２５】
本実施形態のカメラ１は、内部に収納される各種の構成ユニット（詳細は後述する）等と、これら内部構成ユニットのそれぞれを固定支持する支持部材である内部筐体５ａ（図３，図５参照）等と、この内部筐体５ａ等の外面側を覆う外装部材である前面カバー２，背面カバー３（図１，図５参照）等によって主に構成される。このカメラ１の外形形状は、例えば略直方体形状に形成されている。
【００２６】
本カメラ１の外装部材（前面カバー２，背面カバー３等）は、電気的導電性を有する金属部材によって主に形成されている。
【００２７】
また、本カメラ１の内部筐体５ａは、例えば樹脂製のモールド成形部品によって形成されている。そして、この内部筐体５ａには、本カメラ１の各種の構成ユニットが固定保持されている。
【００２８】
したがって、カメラ１は、各種構成ユニット等が固定された樹脂製の内部筐体５ａの外面を金属製の外装部材が覆うことで、内部構成ユニット等から発生する電磁輻射が外部に漏れるのを抑止する構造となっている。また、本カメラ１の金属製の外装部材の一部は、電気的に導通状態となっており、かつ本カメラ１の内部電気回路のグランド（ＧＮＤ）に接続されている。
【００２９】
カメラ１の前面には、ストロボ発光器１１の構成部材及び補助光照射部１２と、レンズ部（レンズユニット）１３を構成する複数の光学レンズのうちの最前面のレンズとが、外部に露呈するように配置されている。そのために、前面カバー２には、複数の開口２ａが穿設されている。
【００３０】
カメラ１の上面には、操作部１４を構成する複数の操作部材のうちシャッターレリーズボタン１４ａ，電源ボタン１４ｂ等が配設されている。
【００３１】
カメラ１の背面側には、表示部（表示ユニット）１６（図５参照）が配設されている。この表示部１６は、例えば表示パネル１６ａ及びパネル保護用透明板１６ｂ等からなる液晶表示装置等が適用される。そして、表示パネル１６ａの表示面は、外部に向けて露呈するように配置される。
【００３２】
カメラ１の内部に配設される内部構成ユニットとしては、例えば電気基板１８を含むメインユニット５と、ストロボ発光器１１と、レンズ部（レンズユニット）１３と、撮像部（撮像ユニット）１５と、表示部（表示ユニット）１６等がある。
【００３３】
レンズ部（レンズユニット）１３は、撮影光学系を構成する複数の光学レンズと、これら複数の光学レンズを保持する複数のレンズ枠と、露出を調整するための絞り機構及びシャッター機構と、これら絞り機構及びシャッター機構を駆動制御する絞りシャッター駆動回路等を含んで構成される構成ユニットである。
【００３４】
撮像部（撮像ユニット）１５は、ＣＣＤ（Ｃｈａｒｇｅ  Ｃｏｕｐｌｅｄ  Ｄｅｖｉｃｅ；電荷結合素子），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）等の撮像素子（図示せず）等からなる光電変換素子と、この撮像素子を駆動制御する撮像素子駆動回路及び撮像素子からの出力信号についてＡＤ変換処理等を行う信号処理回路等を含んで構成される撮像手段である。
【００３５】
メインユニット５は、図３，図４に示すように、ストロボ発光器１１，電源電池１７，電気基板１８，ストロボ発光用キャパシタ１９，フレキシブルプリント基板２０等を固定支持する内部筐体５ａを含んで構成される構成ユニットである。
【００３６】
電気基板１８には、図２に示すように、本カメラ１の全体を統括的に制御するＣＰＵ等の制御部３０と、ストロボ発光器１１の駆動制御を行うストロボ発光駆動手段であるストロボ発光駆動部１１ａと、電源電池１７からの電力を受けて所定の電力供給制御を行う電源制御部１７ａと、本カメラ１の振動を検出するブレ検出素子であって例えば角速度センサ等のブレ検出センサ２２と、このブレ検出センサ２２からの出力に基いてブレ補正処理のための駆動制御を行うブレ補正手段であるブレ補正駆動部２２ａ等の電気部品及び電気回路が実装配置されている。
【００３７】
なお、ストロボ発光器１１は、図６に示すように、キセノン管１１ｂや反射傘１１ｃ，光拡散板１１ｄ等からなり内部筐体５ａの上面寄りの部位に、該内部筐体５ａと一体に配設されている。また、ストロボ発光用キャパシタ１９（図３，図４参照）は、電気基板１８のストロボ発光駆動部１１ａを介してストロボ発光器１１と電気的に接続されている。そのために、ストロボ発光用キャパシタ１９は、電気基板１８の所定の部位（ストロボ発光駆動部１１ａ）との間でリード線１１ｅにより、またキセノン管１１ｂとの間でリード線１１ｆにより、それぞれ電気的に接続されている。
【００３８】
また、電源電池１７は、カメラ１に対して着脱自在である。電源電池１７がカメラ１に対して装着状態となったとき、電源電池１７は、カメラ１の内部においてメインユニット５の前面側の所定の位置に配設されるようになっている。このとき、図示されていないが、この電源電池１７の接点は、電気基板１８に突設された電源端子部に接触することで、電気基板１８との間の電気的な接続が確保されるようになっている。
【００３９】
そして、フレキシブルプリント基板２０は、上記ストロボ発光器１１の上面側に配置されている。このフレキシブルプリント基板２０には、複数の操作部材（例えばシャッターレリーズボタン１４ａ，電源ボタン１４ｂ等）及びこれらの操作部材に連動して所定の指示信号を発生させる複数の操作スイッチ（シャッターレリーズスイッチ１４ａａ，電源スイッチ１４ｂｂ）等を含んで構成される操作部１４の電気部品及び電気回路が実装されている。
【００４０】
上述したように、電気基板１８上には、例えばブレ検出センサ２２等の各種の電気部品が実装配置されている。
【００４１】
このブレ検出センサ２２は、樹脂により封止されたパッケージ部品であり、電気基板１８上に半田付けによって実装されている。
【００４２】
そして、このブレ検出センサ２２には、電気基板１８への装着面とは反対側の面、即ち外部に露呈されている表面に、タングステン等の金属を含ませた樹脂素材をシート状に形成した高比重のシート部材２１が配設されている。この場合において、シート部材２１は、ブレ検出センサ２２の外部露呈面の表面の全体を覆うように載置された状態で、例えば両面テープ若しくは接着剤等を用いて貼着されている。
【００４３】
なお、シート部材２１は、上述のようにブレ検出センサ２２の外部露呈面の表面全体を覆い得る大きさとするのが望ましい。
【００４４】
なお、上述のようにシート部材２１としてタングステンシート等を含む樹脂材料を基本素材とするものを採用すれば、例えば、ブレ検出センサ２２の表面サイズを超えた大きさのもので、その周縁部が隣接する電気部品や構成部材の上にまたがるように配置されたとしても、シート部材２１を介してブレ検出センサ２２と他の部品との間に電気的な導通が生じることはないので問題はない。ただし、シート部材２１自身が機械的振動を発生しないように固定することが望ましい。
【００４５】
また、シート部材２１は、一枚に限ることはなく、二枚重ねやそれ以上の複数枚を重ねて配置するような構成とすることも考えられる。
【００４６】
このように構成された本実施形態のカメラ１において、その使用時に内部の構成部材から生じる機械的な振動としては、例えばストロボ発光器１１が発光したときに生じるものが考えられる。
【００４７】
そこで、本発明を適用する前後のカメラ、即ちシート部材２１をブレ検出センサ２２に貼着しない構成のカメラ（適用前）と、上記一実施形態のカメラ（シート部材２１をブレ検出センサ２２に貼着した構成；適用後）とにおいて、ストロボ発光を伴う撮影動作を実行したときのブレ検出センサの出力結果を数値化して、それぞれ図７〜図９に示す。
【００４８】
図７，図８は、シート部材２１の適用前のカメラのブレ検出センサ２２の出力を示している。なお、図７はブレ検出センサ２２のＸ軸の出力を示す。図８はブレ検出センサ２２のＹ軸の出力を示す。
【００４９】
図９，図１０は、上記一実施形態のカメラのブレ検出センサ２２の出力を示している。同様に図９はブレ検出センサ２２のＸ軸の出力を示す。図１０はブレ検出センサのＹ軸の出力を示す。
【００５０】
なお、ブレ検出センサ２２のＸ軸の出力とは、カメラ１が左右方向に振れる際の振動を検出した結果を示している。また、ブレ検出センサ２２のＹ軸の出力とは、カメラ１が上記Ｘ軸に直交する方向、即ち上下方向に振れる際の振動を検出した結果を示している。
【００５１】
また、図７〜図１０において、横軸は時間Ｔを、縦軸は電圧値Ｖとしている。
【００５２】
そして、各図においては、時間Ｔ１のタイミングでストロボ発光器１１の発光動作を実行させている。この場合において、縦軸Ｖの振幅が大きいほど、振動を検出していることを示している。
【００５３】
図示の通り、本発明を適用した上記一実施形態のカメラ１、即ちシート部材２１を貼着した構成のブレ検出センサ２２の出力の方（図９，図１０）が振幅が少ない、即ちストロボ発光時Ｔ１から直後の振幅が大きく抑えられていることから、ストロボ発光の振動によるノイズの混入が抑えられている。このことから、ストロボ発光に起因する振動によるノイズ以外の他の不要な機械的ノイズの混入をも抑え得ることは容易に考えられることが明らかである。
【００５４】
なお、図７〜図１０におけるグラフは、横軸方向（時間スケール）で同じ時間（２５ｍｓｅｃ．）の間のデータを示している。また、縦軸方向のスケールに関しても同じ出力量（電圧）のデータとして示されている。
【００５５】
以上説明したように上記一実施形態によれば、ブレ補正機能を備えた光学装置としてのカメラ１において、ブレ検出センサ２２にシート部材２１を貼着するのみで、ブレ検出センサ２２の出力信号にノイズが混入するのを抑止することができるので、ブレ検出精度の向上に寄与することができる。
【００５６】
ところで、上述の一実施形態のカメラ１においては、シート部材２１をブレ検出センサ２２に貼着することで、カメラ１内の他の構成部材からの振動の影響を抑止するようにしている。
【００５７】
カメラにおけるブレ補正動作の実行タイミングの条件としては、例えば
（条件１）カメラの電源状態がオン状態とされてカメラが撮影待機状態にある場合の任意のとき、
（条件２）使用者が撮影動作を実行させる操作（例えばシャッターレリーズボタン１４ａの押圧操作）を行って指示信号が生じたとき、
など、種々のタイミングでブレ検出センサ２２による検出動作が開始されることになる。そして、少なくとも撮影動作の実行中は、ブレ補正動作も同時に実行されている必要がある。
【００５８】
上述したように、撮影動作を行う際に振動が生じる可能性のある構成部材としてストロボ発光器１１があるが、このストロボ発光器１１を駆動させてストロボ光の発光を伴う撮影動作を実行する場合には、撮影動作の初期段階でストロボ光の発光を行うのが普通である。したがって、ストロボ光の発光を伴う撮影動作が行われる場合には、ブレ補正動作の実行中にストロボ発光器１１が駆動されることになる。
【００５９】
そこで、ストロボ光の発光を伴う撮影動作時と、ストロボ光の発光を伴わない撮影動作時とで、ブレ補正動作の開始タイミングを異ならせるような制御を行なうことが考えられる。その場合の処理シーケンスの概略を、図１１のフローチャートによって以下に説明する。
【００６０】
まず、カメラ１の電源状態がオン状態となっており、撮影動作を実行し得る状態、即ち撮影待機状態にある場合（上記（条件１）の場合）、若しくは、カメラ１が撮影待機状態にあって使用者によるシャッターレリーズボタン１４ａの押圧操作がなされた直後の状態の場合（上記（条件２）の場合）である。
【００６１】
上述のいずれかの状態にあるとき、ブレ補正機能を実行し得る動作モード、即ちブレ補正モードの処理シーケンス（図１１）が実行される。
【００６２】
この状態にあるとき、図１１のステップＳ１において、制御部３０は、カメラ１の各種の構成ユニットから得られる情報に基いて、カメラ１が置かれている現在の撮影環境において撮影動作を実行した場合に、ストロボ発光器１１を駆動させてストロボ光を発光させるのか否かの確認を行う。
【００６３】
ここで制御部３０が取得する情報としては、例えば撮像部１５の撮像素子により連続的に取得される画像信号から演算される露出情報（低輝度時には自動発光させる等）や、ストロボ発光器１１の設定モードの情報（強制発光モードか発光禁止モードか等）等、各種の情報がある。また、これらの情報の取得タイミングは、上述のように撮影待機状態にあるときに所定の間隔で確認される任意のとき、若しくは使用者によるシャッターレリーズボタン１４ａの押圧操作がなされたときのいずれかのタイミングである。
【００６４】
このステップＳ１の処理において、制御部３０は、撮影動作時にストロボ発光器１１の駆動を伴わないと判断した場合には、初めてステップＳ４のブレ補正開始処理に進む。
【００６５】
一方、上述のステップＳ１の処理において、制御部３０は、撮影動作時にストロボ発光器１１の駆動を伴うと判断した場合には、次のステップＳ２の処理に進む。
【００６６】
ステップＳ２において、制御部３０は、ストロボ発光駆動部１１ａを介してストロボ発光器１１を制御してストロボ発光処理を実行する。
【００６７】
続いて、ステップＳ３において、制御部３０は、内部タイマー（図示せず）をセットして次に行うべき処理の実行をストロボ発光による機械的振動が収束するまでの所定の時間だけ遅延させる所定時間遅延処理を実行する。その後、所定時間が経過するまで待機し、所定時間が経過したら、次のステップＳ４の処理に進む。
【００６８】
次に、上述のステップＳ３の処理の後、所定時間が経過した場合、若しくは上述のステップＳ１の処理にてストロボ発光器１１の駆動を伴わないと判断されて、次のステップＳ４の処理に進むと、このステップＳ４において、ブレ補正処理を開始する。その後、元の処理シーケンスに戻る（リターン）。
【００６９】
上述の一実施形態の構成に加えて、上記図１１のフローチャートに示すような制御を行なうことによって、ストロボ発光器１１の発光駆動時に生じる振動等がブレ検出センサ２２に及ぼす悪影響をさらに排除することができる。
【００７０】
つまり、上述の一実施形態によるシート部材２１のブレ検出センサ２２への貼着に加えて、上記図１１の処理シーケンスを実行させることで、ブレ検出センサ２２の出力信号に混入するノイズ成分をさらに抑えることができる。
【００７１】
したがって、より高い検出精度を得ることができ、よって高いブレ補正効果を得ることができる。
【００７２】
なお、上述の一実施形態では、タングステンを含むシート部材を適用した例を示しているが、このタングステンは、実際上、使用できる材料として鉛に次ぐ重さを有し、この重さ、即ち慣性の故に不要なノイズがのりにくいようにしていると考えられる。従って、タングステンに関らず、これに代わるものを代替品として適用してもよい。例えば、スペースさえあれば、少し大きめの銅，鋼材等をセンサパッケージに固定するようにしてもよい。
【００７３】
本発明を適用した光学装置として、上述の一実施形態では、撮像装置であるカメラを例に挙げて説明しているが、これに限られることはなく、ブレ補正機能を備えた双眼鏡等、他の形態の光学装置であっても容易に適用することができ、同様の効果を得ることができる。
【００７４】
また、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００７５】
１……カメラ
２……前面カバー
３……背面カバー
５……メインユニット
５ａ……内部筐体
１１……ストロボ発光器
１１ａ……ストロボ発光駆動部
１１ｂ……キセノン管
１１ｃ……反射傘
１１ｄ……光拡散板
１１ｅ，１１ｆ……リード線
１２……補助光照射部
１４……操作部
１４ａ……シャッターレリーズボタン
１４ａａ……レリーズスイッチ
１４ｂ……電源ボタン
１４ｂｂ……電源スイッチ
１５……撮像部
１６……表示部
１６ａ……表示パネル
１６ｂ……パネル保護用透明板
１７……電源電池
１７ａ……電源制御部
１８……電気基板
１９……ストロボ発光用キャパシタ
２０……フレキシブルプリント基板
２１……シート部材
２２……ブレ検出センサ
２２ａ……ブレ補正駆動部
３０……制御部
【図１】
2010169961.tif 000003
【図２】
2010169961.tif 000004
【図３】
2010169961.tif 000005
【図４】
2010169961.tif 000006
【図５】
2010169961.tif 000007
【図６】
2010169961.tif 000008
【図７】
2010169961.tif 000009
【図８】
2010169961.tif 000010
【図９】
2010169961.tif 000011
【図１０】
2010169961.tif 000012
【図１１】
2010169961.tif 000013